(57)【要約】【課題】ケーブルの損傷を防止しながら、複数のケーブルの誤接続を防止でき、複数のケーブルの接続状態の確認時間も短縮できるケーブル誤接続防止器具およびケーブル誤接続防止方法が求められている。【解決手段】ケーブル誤接続防止器具は、複数のケーブルを挟持する第１および第２のバーと、前記第１のバーの前記複数のケーブルを挟持する側に配置されクッション性を有する第１のケーブル押さえ部と、前記第２のバーの前記複数のケーブルを挟持する側に配置されクッション性を有する第２のケーブル押さえ部と、を備えている。【選択図】図１
2015033317.tif 000002
【特許請求の範囲】
【請求項１】
複数のケーブルを挟持する第１および第２のバーと、
前記第１のバーの前記複数のケーブルを挟持する側に配置されクッション性を有する第１のケーブル押さえ部と、
前記第２のバーの前記複数のケーブルを挟持する側に配置されクッション性を有する第２のケーブル押さえ部と、
を備える、ことを特徴とするケーブル誤接続防止器具。
【請求項２】
前記第１のバーの少なくとも一端に揺動自在に接続され、前記第１のバーを前記第２のバーに解除可能にロックする少なくとも一つの固定具を備えることを特徴とする請求項１記載のケーブル誤接続防止器具。
【請求項３】
前記固定具は、基端側が直接ピンを介して前記第１のバーに揺動自在に接続され、自由端側が前記第２のバーと接触自在である、ことを特徴とする請求項２記載のケーブル誤接続防止器具。
【請求項４】
前記固定具は、該固定具の自由端側に形成され、前記第２のバーの端部と嵌合可能な嵌合部を有し、
前記第２のバーは、前記嵌合部と嵌合する被嵌合部を有する、
ことを特徴とする請求項２又は３記載のケーブル誤接続防止器具。
【請求項５】
前記固定具の前記嵌合部がロック山部であり、前記第２のバーの前記被嵌合部がロック溝である、ことを特徴とする請求項４記載のケーブル誤接続防止器具。
【請求項６】
前記固定具および前記第２のバーの互いの接触面のどちらか又は両方に設けられた摩擦係数の高い部分を備えることを特徴とする請求項２〜５のいずれか一記載のケーブル誤接続防止器具。
【請求項７】
前記固定具の全部又は前記第２のバーに接触する部分が、面ファスナであることを特徴とする請求項２〜６のいずれか一記載のケーブル誤接続防止器具。
【請求項８】
前記第１および第２のバーの間に挿入され、該第１のバーとの間および該第２のバーとの間で、前記複数のケーブルを挟持する中間バーと、
前記中間バーの両面上に配置されクッション性を有する一対の中間ケーブル押さえ部と、
を備える、ことを特徴とする請求項１〜７のいずれか一記載のケーブル誤接続防止器具。
【請求項９】
前記複数のケーブルが接続される装置を収容するラックに係止されるラック取付金具を備えることを特徴とする請求項１〜８のいずれか一に記載のケーブル誤接続防止器具。
【請求項１０】
複数のケーブルに、クッション性を有する第１のケーブル押さえ部を介して、第１のバーを重ねる工程と、
前記複数のケーブルに、クッション性を有する第２のケーブル押さえ部を介して、第２のバーを重ねる工程と、
前記第１および第２のバーを互いにロックし、前記第１および第２のケーブル押さえ部を介して、前記複数のケーブルを前記第１および第２のバーの間で、該複数のケーブル同士の位置関係を保持した状態で挟持する工程と、
を含む、ことを特徴とするケーブル誤接続防止方法。
【発明の詳細な説明】
【技術分野】
【０００１】
本発明は、ケーブル誤接続防止器具およびケーブル誤接続防止方法に関する。
【背景技術】
【０００２】
複数のケーブルが接続された装置が故障し、この装置を代替品に交換する場合には、複数のケーブルを装置から一旦取り外す必要がある。ケーブル誤接続防止のために、複数のケーブルにはそれぞれ接続ポート名が記入されたタグが付けられ、交換後の再接続時には、タグを確認しながら接続作業が行なわれる。
【０００３】
特許文献１の段落００１５には、「ケーブルの直径と本数と間隔に合わせて溝を彫りこんだ２枚のプラスチック等でケーブルを挟み込むようにし、一端を蝶番などで開閉自在とし、ケーブルを挟み込んだ後に他端を固定する」ケーブル整列用器具が記載されている。
【先行技術文献】
【特許文献】
【０００４】
【特許文献１】実用新案登録第３０８４２３８号公報（図１および段落００１５参照）
【発明の概要】
【発明が解決しようとする課題】
【０００５】
以下の分析は、本発明によって与えられたものである。
【０００６】
上述したタグを用いたケーブル誤接続防止方法によれば、作業者がタグの記載内容を読み間違えたり、ケーブルを接続する接続ポートを見間違えたりするおそれがある。また、装置の高性能化に伴いケーブル数が増えている現在では、作業時に１００本以上のケーブルを取り外したり、再接続したりする場合もあり、ケーブル接続時の作業ミスの可能性が高くなり、ケーブル１本１本のタグを確認する作業にも膨大な時間を要するという問題が生じている。
【０００７】
また、特許文献１のケーブル整列用器具によれば、２枚のプラスチックで多数のケーブルを挟み込む際に、ケーブルが損傷するおそれがある。
【０００８】
かくして、ケーブルの損傷を防止しながら、複数のケーブルの誤接続を防止でき、複数のケーブルの接続状態の確認時間も短縮できるケーブル誤接続防止器具およびケーブル誤接続防止方法が求められている。
【課題を解決するための手段】
【０００９】
第１の視点において、ケーブル誤接続防止器具は、複数のケーブルを挟持する第１および第２のバーと、前記第１のバーの前記複数のケーブルを挟持する側に配置されクッション性を有する第１のケーブル押さえ部と、前記第２のバーの前記複数のケーブルを挟持する側に配置されクッション性を有する第２のケーブル押さえ部と、を備えている。
【００１０】
第２の視点において、ケーブル誤接続防止方法は、複数のケーブルに、クッション性を有する第１のケーブル押さえ部を介して、第１のバーを重ねる工程と、前記複数のケーブルに、クッション性を有する第２のケーブル押さえ部を介して、第２のバーを重ねる工程と、前記第１および第２のバーを互いにロックし、前記第１および第２のケーブル押さえ部を介して、前記複数のケーブルを前記第１および第２のバーの間で、該複数のケーブル同士の位置関係を保持した状態で挟持する工程と、を含んでいる。
【発明の効果】
【００１１】
ケーブルの損傷を防止しながら、複数のケーブルの誤接続を防止でき、複数のケーブルの接続状態の確認時間も短縮できるケーブル誤接続防止器具およびケーブル誤接続防止方法が提供される。
【図面の簡単な説明】
【００１２】
【図１】実施形態１のケーブル誤接続防止器具を模式的に示す断面図である。
【図２】図１に示したケーブル誤接続防止器具を用いたケーブル誤接続防止方法の工程図である。
【図３】図１に示したケーブル誤接続防止器具に適用される固定具を示す部分動作図である。
【図４】図３に示した固定具を示す部分動作図である。
【図５】実施形態２のケーブル誤接続防止器具を模式的に示す断面図である。
【図６】図５に示したケーブル誤接続防止器具に適用される固定具を模式的に示す斜視図である。
【図７】実施形態３のケーブル誤接続防止器具を模式的に示す断面図である。
【図８】実施形態３のケーブル誤接続防止器具を使用方法を説明する工程図である。
【図９】実施形態４に関し、固定具の種々な形態を説明する部分断面図である。
【発明を実施するための形態】
【００１３】
形態１は、第１の視点に記載のとおりである。
【００１４】
形態２において、ケーブル誤接続防止器具は、前記第１のバーの少なくとも一端に揺動自在に接続され、前記第１のバーを前記第２のバーに解除可能にロックする少なくとも一つの固定具を備えている。
【００１５】
形態３において、前記固定具は、基端側が直接ピンを介して前記第１のバーに揺動自在に接続され、自由端側が前記第２のバーと接触自在である。
【００１６】
形態４において、前記固定具は、該固定具の自由端側に形成され、前記第２のバーの端部と嵌合可能な嵌合部を有し、前記第２のバーは、前記嵌合部と嵌合する被嵌合部を有している。
【００１７】
形態５において、前記固定具の前記嵌合部がロック山部であり、前記第２のバーの前記被嵌合部がロック溝である。
【００１８】
形態６において、ケーブル誤接続防止器具は、前記固定具および前記第２のバーの互いの接触面のどちらか又は両方に設けられた摩擦係数の高い部分を備える。
【００１９】
形態７において、前記固定具の全部又は前記第２のバーに接触する部分が、面ファスナである。
【００２０】
形態８において、ケーブル誤接続防止器具は、前記第１および第２のバーの間に挿入され、該第１のバーとの間および該第２のバーとの間で、前記複数のケーブルを挟持する中間バーと、前記中間バーの両面上に配置されクッション性を有する一対の中間ケーブル押さえ部と、を備えている。  
【００２１】
形態９において、前記複数のケーブルが接続される装置を収容するラックに係止されるラック取付金具を備えている。
【００２２】
形態１０は、第２の視点に記載のとおりである。
【００２３】
上記ケーブル誤接続防止器具および誤接続防止方法は、サーバ等のＩＴ機器において、保守や修理や装置交換等のため、装置に接続された複数のケーブルを一度外し、再び元の通りにケーブルを接続する場合に好適に適用される。
【００２４】
本発明の一実施形態の概要について、図面を参照して説明する。なお、この概要に付記した図面参照符号は、理解を助けるための一例として各要素に便宜上付記したものであり、本発明を図示の態様に限定することを意図するものではない。
【００２５】
図１を参照すると、ケーブル誤接続防止器具１は、複数のケーブル２を複数のケーブル２同士の位置関係を保持した状態で挟持する第１および第２のバー１０，２０と、第１のバー１０の複数のケーブル２を挟持する側に配置されクッション性を有する第１のケーブル押さえ部１１と、第２のバー２０の複数のケーブル２を挟持する側に配置されクッション性を有する第２のケーブル押さえ部２１と、を備えている。
【００２６】
ケーブル誤接続防止器具１では、装置５に接続される複数のケーブル２の位置関係を保持するために、複数のケーブル２を第１および第２のバー１０，２０で挟み込む。挟み込みの際、第１および第２のバー１０，２０に付属する第１および第２のケーブル押さえ１１，２１によって、複数のケーブル２は保護されながら、複数のケーブル２の位置関係が自動的に保持される。このようにして、装置５から複数のケーブル２を取り外す前に、ケーブル誤接続防止器具１により、複数のケーブル２の位置関係が安全に保持されるため、再接続の際に誤接続が防止され、接続状態の確認に要する時間も短縮できる。
【００２７】
続いて、本発明の一実施形態について図面を参照して詳細に説明する。なお、以降の記述において、多くの具体的事項は、説明のため、本発明の理解を助けるためになされたものである。
【実施形態１】
【００２８】
図１を参照して、ケーブル誤接続防止器具１は、複数のケーブル２を挟持する第１および第２のバー１０，２０と、第１のバー１０の複数のケーブル２を挟持する側に配置されクッション性を有する第１のケーブル押さえ部１１と、第２のバー２０の複数のケーブル２を挟持する側に配置されクッション性を有する第２のケーブル押さえ部２１と、第１のバー１０の両端に揺動自在に接続され、第１のバー１０を第２のバー２０に解除可能にロックする固定具４０，４０を備えている。
【００２９】
第１および第２のバー１０，２０の好ましい形態を下記に例示する。
・いずれかのバー１０，２０の表面に“１”から連番で数字を記入してもよい。これにより、予め、複数のケーブル２が接続されていたポートが判別しやすくなる。
・第１および第２のバー１０，２０をそれぞれ複数枚使用してもよい。
・第１および第２のバー１０，２０は、上下方向、左右方向、又はその他の方向に対向して配置される。
・第１および第２のバー１０，２０を左右方向に重ねて使用する場合には、上下方向に複数段に重ねられた複数のケーブルを固定することができる。第１および第２のバー１０，２０を垂直方向に重ねて使用した場合は、左右方向に並んだ複数のケーブルを固定することができる。
【００３０】
第１および第２のケーブル押さえ部１１，２１は、複数のケーブル２を傷つけないように複数のケーブル２の位置を固定する。第１および第２のケーブル押さえ部１１，２１の素材と形状は、複数のケーブル２を傷つけず固定できるものであればよく、それらを下記に例示する。
【００３１】
・スポンジやゴムのような弾性のある柔らかい素材。
・歯ブラシのように柔らかい毛状の素材。
・第１および第２のケーブル押さえ部１１，２１のいずれかの形状を、山形が繰り返す形状とする。これにより、複数のケーブル２の位置がより確実に保持され、ケーブル接続ポートに間隔が空いている場合でも、複数のケーブル２の位置を固定できる。また、異なる太さのケーブルにも対応できる。
【００３２】
次に、図２（Ａ）〜（Ｃ）を参照しながら、図１に示したケーブル誤接続防止器具１を用いたケーブル誤接続防止方法について説明する。このケーブル誤接続防止方法は、下記の工程（ａ）〜（ｃ）を含んでいる。
【００３３】
（ａ）複数のケーブル２に、クッション性を有する第１のケーブル押さえ部１１を介して、第１のバー１０を重ねる。
【００３４】
（ｂ）複数のケーブル２に、クッション性を有する第２のケーブル押さえ部２１を介して、第２のバー２０を重ねる。
【００３５】
（ｃ）第１および第２のバー１０，２０を互いにロックし、第１および第２のケーブル押さえ部１１，２１を介して、複数のケーブル２を第１および第２のバー１０，２０の間で、複数のケーブル２同士の位置関係を保持した状態で挟持する。
【００３６】
（ａ）および（ｂ）の工程は、同時に実行されてもよい。（ｃ）工程のロックは、第１のバー１０に直接ピン（蝶番ピン）１２ａ、１２ａを介して揺動自在に接続された固定具４０，４０を回転させて、下部バー２０をロックさせることによって達成できる。
【００３７】
このようにして、複数のケーブル２がそれらの配列が保持された状態でケーブル誤接続防止器具１に固定された後、複数のケーブル２は装置５から取り外され、装置５の交換が実行される。
【００３８】
装置５の交換後、新たな装置５に、ケーブル誤接続防止器具１に固定された複数のケーブル２が再接続される。このとき、ケーブル誤接続防止器具１を、装置５の接続ポート面に合わせるだけで、複数のケーブル２はそれぞれ正しいポートに接続される。これによって、タグの内容を逐一確認する作業を省くことができ、再接続作業が短時間で完了する。
【００３９】
次に、図１に示したケーブル誤接続防止器具に適用される固定具の一例を説明する。なお、図３中には、固定具４０の自由端側の図示が一部省略され、図３中には、図４に図示するロック山部４０ａは図示されていない。
【００４０】
図３および図４を参照すると、第１のバー１０に蝶番１２を介して揺動自在に接続された固定具４０は、固定具４０の自由端側に形成され、第２のバー２０の端部と嵌合可能なロック山部（嵌合部）４０ａを有している。一方、第２のバー２０は、第２のバー２０の端部に形成され、ロック山部４０ａと嵌合可能なロック溝（被嵌合部）２０ａを有している。
【００４１】
固定具４０の自由端側を回転させることによって、ロック山部４０ａがロック溝２０ａに嵌合して、第１および第２のバー１０，２０がワンタッチで固定される。
【００４２】
固定具４０に代えて、第１および第２のバー１０，２０をロックできるものを使用することができ、固定具の他例を下記に例示する。
・第１および第２のバー１０，２０に巻き付けられる紐状のもの。
・第１および第２のバー１０，２０を締め付けるネジ。
・第１および第２のバー１０，２０を挟むクリップ。
・第１および第２のバー１０，２０に貼り付けられるテープ。
【実施形態２】
【００４３】
次に、図５を参照しながら、実施形態２のケーブル誤接続防止器具を説明する。なお、実施形態２と実施形態１の共通点については、適宜、実施形態１の記載を参照することができるものとし、以下、主として、実施形態２と実施形態１の相違点について説明する。
【００４４】
図５を参照すると、実施形態２のケーブル誤接続防止器具１は、第１および第２のバー１０，２０の間に挿入され、第１のバー１０との間および第２のバー２０との間で、二段に配置された複数のケーブル２，２を挟持する中間バー３０と、中間バー３０の両面上に配置されクッション性を有する一対の中間ケーブル押さえ部３１，３２と、を備えている。
【００４５】
図５および図６を参照すると、第１のバー１０にピン１２ａを介して揺動自在に接続された固定具５０は、固定具５０の自由端側に形成され、第２のバー２０および中間バー３０の端部とそれぞれ嵌合可能なロック山部（嵌合部）５０ａ，５０ａを有している。一方、第２のバー２０は、その端部に形成され、ロック山部５０ａと嵌合可能なロック溝２０ａ（被嵌合部）を有し、中間バー３０は、その端部に形成され、ロック山部５０ａと嵌合可能なロック溝３０ａ（被嵌合部）を有している。
【００４６】
実施形態２のケーブル誤接続防止器具１は、中間バー３０を第１のバー１０と第２のバー２０の間に設置し、固定具５０に二段のロック山部５０ａ，５０ａを設けることによって、装置５の接続ポートが複数段に配置され、それに対応して、複数段に配列された複数のケーブル２の誤接続防止に好適に利用できる。特に、中間バー３０の両面に、中間ケーブル押さえ部３１，３２を設けることによって、中間バー３０の両側に、複数段に配置された複数のケーブル２，２を損傷することなく、固定することができる。
【００４７】
実施形態１のケーブル誤接続防止器具１は、接続ポートが一列に実装されている装置５に好適に適用され、実施形態２のケーブル誤接続防止器具１は、接続ポートが複数列に実装されている装置５に好適に適用される。
【実施形態３】
【００４８】
次に、図７又は図８を参照しながら、実施形態３のケーブル誤接続防止器具を説明する。なお、実施形態３と実施形態１等との共通点については、適宜、実施形態１等の記載を参照することができるものとし、以下、主として、実施形態３と実施形態１等との相違点について説明する。
【００４９】
図７を参照すると、実施形態３のケーブル誤接続防止器具１は、複数のケーブル２が接続される装置５を収容するラック（例えば、ラック支柱７）に係止されるラック取付金具６を備えている。詳細には、第１のバー１０の両端部にラック取付金具６が取り付けられている。
【００５０】
図８を参照しながら、ラック取付金具６を用いた複数のケーブルの接続作業を説明する。図８の左図を参照して、装置５を交換するとき、ケーブル誤接続防止器具１によって複数のケーブル２を固定し、次に、複数のケーブル２の先端に接続されたコネクタ８を、装置５から抜く。次に、ケーブル誤接続防止器具１、例えば、第１のバー１０（図１参照）に取り付けられたラック取付金具６を、ラック支柱７に形成された穴７ａに嵌合させ、ケーブル誤接続防止器具１を一時的にラック支柱７に保持させる。次に、装置５の交換を実行する。
【００５１】
このように、装置５側から取り外した複数のケーブル２を、ケーブル誤接続防止器具１を介して、一旦、ラック支柱７側に保持させておくことによって、装置５を交換する際にスムースにケーブル取り付け作業が実行でき、複数のケーブル２が自重による負荷を受けることも防止できる。
【実施形態４】
【００５２】
図９（Ａ）〜（Ｃ）を参照して、固定具４０の種々の形態を説明する。
【００５３】
図９（Ａ）を参照すると、固定具４０および第２のバー２０の互いに接触面のどちらか又は両方に、摩擦係数の高い部分、すなわち、高摩擦部９を設けることができる。高摩擦部９によって、クッション性を有する第１および第２のケーブル押さえ部１１、２１の反発力に抗して、第１および第２のバーが安定してロックされる。
【００５４】
図９（Ｂ）および（Ｃ）を参照すると、固定具４０の全部又は第２のバー２０に接触する部分が、面ファスナ６０である。
【００５５】
詳細に説明すると、図９（Ｂ）を参照して、固定具４０の先端と第２のバー２０の底面との間に面ファスナ６０が取り付けられ、固定具４０のロック力が向上されている。
【００５６】
図９（Ｃ）を参照すると、固定具４０の先端にベルト状の面ファスナ６０が取り付けられている。面ファスナ６０は、第１および第２のバーに巻き回され、固定具４０のロック力が向上されている。
【００５７】
［付記１］
複数のケーブルを挟持する第１および第２のバーと、
前記第１のバーの前記複数のケーブルを挟持する側に配置されクッション性を有する第１のケーブル押さえ部と、
前記第２のバーの前記複数のケーブルを挟持する側に配置されクッション性を有する第２のケーブル押さえ部と、
前記第１のバーの少なくとも一端に揺動自在に接続され、前記第１のバーを前記第２のバーに解除可能にロックする少なくとも一つの固定具と、
前記第１および第２のバーの間に挿入され、該第１のバーとの間および該第２のバーとの間で、前記複数のケーブルを挟持する中間バーと、
前記中間バーの両面上に配置されクッション性を有する一対の中間ケーブル押さえ部と、を備えることを特徴とするケーブル誤接続防止器具。
［付記２］
前記固定具は、該固定具の自由端側に形成され、前記第２のバーおよび前記中間バーの端部と嵌合可能な複数の嵌合部を有し、
前記第２のバーおよび中間バーは、前記第２のバーおよび中間バーの端部にそれぞれ形成され、前記複数の嵌合部と嵌合可能な被嵌合部をそれぞれ有する、
ことを特徴とする付記１記載のケーブル誤接続防止器具。
［付記３］
前記固定具の前記複数の嵌合部がロック山部であり、前記第２のバーの前記複数の被嵌合部がロック溝である、ことを特徴とする付記２記載のケーブル誤接続防止器具。
［付記４］
前記固定具は、前記第１、第２および一対の中間ケーブル押さえ部を圧縮しながら、前記中間バーを挟んで前記第１および第２のバーを挟み付けることを特徴とする付記１〜３記載のケーブル誤接続防止器具。
【００５８】
なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００５９】
１  ケーブル誤接続防止器具
２  複数のケーブル
５  装置
６  ラック取付金具
７  ラック支柱
７ａ  穴
８  コネクタ
９  高摩擦部
１０  第１のバー
１１  第１のケーブル押さえ部
１２  蝶番
１２ａ  ピン
２０  第２のバー
２０ａ  ロック溝
２１  第２のケーブル押さえ部
３０  中間バー
３０ａ  ロック溝
３１，３２  一対の中間ケーブル押さえ部
４０  固定具
４０ａ  ロック山部（嵌合部）
５０  固定具
５０ａ  ロック山部（嵌合部）
６０  面ファスナ
【図１】
2015033317.tif 000003
【図２】
2015033317.tif 000004
【図３】
2015033317.tif 000005
【図４】
2015033317.tif 000006
【図５】
2015033317.tif 000007
【図６】
2015033317.tif 000008
【図７】
2015033317.tif 000009
【図８】
2015033317.tif 000010
【図９】
2015033317.tif 000011